(57)【要約】      （修正有）【課題】吸引と吐出との切替を一つの操作によって行うことができるようにし、装置の簡易化を図る。【解決手段】切替バルブは、１台のモーターで駆動するポンプによって吸引と吐出を切り替えて行うための切替バルブであり、ボディーの一側を吸引セクション、他側を吐出セクションとする。吸引セクションは、ポンプと吸引口とを結ぶ吸引路と、吸入時に対応する無効吸引路とを備えている。吸引路は吸引側切替室を介してポンプ側の第一吸引路４aと吸引口側の第二吸引路に分割し、第一、第二の吸引路と無効吸引路は吸引側切替室に開口し、開口端に切替板１０を当接させる。吐出セクションは、吐出口とポンプとを結ぶ吐出路と、吸引時に対応する無効吐出路とを備え、吐出路は吐出側切替室を介してポンプ側の第一の吐出路７aと吐出口側の第二の吐出路に分割し、第一、第二の吐出路と無効吐出路は吐出側切替室に開口し、開口端に切替板１０を当接させる。【選択図】図３
2012085956.tif 000002
【特許請求の範囲】
【請求項１】
１台のモーターで駆動するポンプによって吸引と吐出を切替えて行うための切替バルブにおいて、
ボディーの一側を吸引セクション、他側を吐出セクションとし、
前記吸引セクションは、ポンプと吸引口とを結ぶ吸引路と、吸入時に対応する無効吸引路とを備え、前記吸引路は吸引側切替室を介してポンプ側の第一吸引路と吸引口側の第二吸引路に分割され、前記第一、第二の吸引路と無効吸引路は前記吸引側切替室に同一平面で開口され、前記３つの吸引路の開口端に切替板が当接して配設され、
前記吐出セクションは、ポンプと吐出口とを結ぶ吐出路と、吸引時に対応する無効吐出路とを備え、前記吐出路は吐出側切替室を介してポンプ側の第一吐出路と吐出口側の第二吐出路に分割され、前記第一、第二の吐出路と無効吐出路は前記吐出側切替室に同一平面で開口され、前記３つの吐出路の開口端に切替板が当接して配設され、
前記二つの切替室は前記切替板の外面とボディー端面内壁との間の空隙であり、
前記両切替板は回転可能であり、それぞれ２つの透孔が設けられ、透孔と各開口端との位置関係は、
前記吸引セクションにおいては、吸引運転時には前記第一、第二の吸引路の開口端に切替板の透孔が位置して、前記吸引側切替室を介して二つの吸引路が連通し、吐出運転時には第一の吸引路と無効吸引路の開口端に切替板の透孔が位置して、前記吸引側切替室を介して二つの吸引路が連通し、
前記吐出セクションにおいては、吐出運転時には前記第一、第二の吐出路の開口端に切替板の透孔が位置して、前記吐出側切替室を介して二つの吐出路が連通し、吸引運転時には第一の吐出路と無効吐出路の開口端に切替板の透孔が位置して、前記吐出側切替室を介して二つの吐出路が連通するものとし、
前記２枚の切替板の回転を連動させるようにした
吸引・吐出切替バルブ。
【請求項２】
吸引セクションの切替板と吐出セクションの切替板とを１本の軸で連結することにより、２枚の切替板の回転を連動するようにした、請求項１記載の吸引・吐出切替バルブ。
【請求項３】
軸にはOリングを装着し、軸と隔壁に形成された軸走通孔との間を気密に保持した、請求項２記載の吸引・吐出切替バルブ
【発明の詳細な説明】
【技術分野】
【０００１】
この発明は、１台のモーターで駆動するポンプによって吸引と吐出を切り替えて行うための切替バルブに関するものであり、特に医療用の吸引・吐出（ネブライザー）兼用機での使用に適したものである。
【背景技術】
【０００２】
医療用の吸引・吐出兼用機においては、吸引では雑菌が混入するおそれがあるところ、吐出では雑菌を完全に排除する必要があることから、吸引のための空気回路と吐出のための空気回路とは完全に分離されなければならない。
この課題を解決するものとして、特許第４０４９４２０号の発明が提案されている。
【特許文献１】特許第４０４９４２０号公報
【０００３】
特許文献１に開示された発明は、吸引と吐出とを切り替えるための正圧接続口と負圧接続口のいずれかを選択的に開口する切替弁ユニットと、そのためのポンプとの回路を切り替えるための２つの管路切替ユニットを備え、これらを連動させることにより吸引と吐出との切替を行う構成となっている。
この発明においては、切替弁ユニットと管路切替ユニットの二つのユニットを備えており、構成が複雑である。
【発明の開示】
【発明が解決しようとする課題】
【０００４】
本願発明は、吸引と吐出との切替を一つの操作によって行うことができるようにし、装置の簡易化を図ることを課題とするものである。
【課題を解決するための手段】
【０００５】
この発明の切替バルブは、１台のモーターで駆動するポンプによって吸引と吐出を切り替えて行うための切替バルブであり、ボディーの一側を吸引セクション、他側を吐出セクションとしてある。
前記ポンプは１台のモーターに吸引ポンプと吐出ポンプを備えたものであり、モーター駆動時には吸引ポンプも吐出ポンプも稼働している。
【０００６】
前記吸引セクションは、ポンプと吸引口とを結ぶ吸引路と、吸入時に対応する無効吸引路とを備えている。前記吸引路は吸引側切替室を介してポンプ側の第一吸引路と吸引口側の第二吸引路に分割され、前記第一、第二の吸引路と無効吸引路は前記吸引側切替室に同一平面で開口し、前記３つの吸引路の開口端に切替板を当接させて配設してある。
前記吸引口は、吸引ボトルなどへの接続口であり、ボディーの外面に開口しているものである。前記無効吸引路は、上記のように吐出作動時にも吸引ポンプが稼働しているので、それに対応するために必要な空気をポンプに供給するためのものであり、吸引機能に寄与しないことから無効吸引路と称している。
【０００７】
前記吐出セクションは、吐出口とポンプとを結ぶ吐出路と、吸引時に対応する無効吐出路とを備え、前記吐出路は吐出側切替室を介してポンプ側の第一の吐出路と吐出口側の第二の吐出路に分割され、前記第一、第二の吐出路と無効吐出路は前記吐出側切替室に同一平面で開口し、前記３つの吐出路の開口端に切替板を当接させて配設してある。
前記吐出口はネブライザーなどへの接続口であり、ボディーの外面に開口しているものである。前記無効吐出路は、上記のように吸引作動時にも吐出ポンプが稼働しているので、それに対応するために空気を逃がすためのものであり、吐出機能に寄与しないことから無効吐出路と称している。
【０００８】
前記吸引側、吐出側二つの切替室は前記切替板の外面とボディー端面内壁との間の空隙である。前記切替板は回転可能としてあり、それぞれ２つの透孔が設けてある。各セクションの切替板の透孔位置と各開口端との位置関係は以下の通りとしてある。
前記吸引セクションにおいては、吸引運転時には前記第一、第二の吸引路の開口端に切替板の透孔が位置して、前記吸引側切替室を介して二つの吸引路が連通し、吐出運転時には第一の吸引路と無効吸引路の開口端に切替板の透孔が位置して、前記切替室を介して二つの吸引路が連通するようにしてある。
前記吐出セクションにおいては、吐出運転時には前記第一、第二の吐出路の開口端に切替板の透孔が位置して、前記吐出側切替室を介して二つの吐出路が連通し、吸引運転時には第一の吐出路と無効吐出路の開口端に切替板の透孔が位置して、前記空隙を介して二つの吐出路が連通するようにしてある。
【０００９】
上記吸引時、吐出時に対応する２枚の切替板の回転を連動させるようにする。連動させる手法としては、電気的な手法を採用することもできる。
【００１０】
請求項２の発明は、吸引セクションの切替板と吐出セクションの切替板とを１本の軸で連結し、その一端に切替操作用ハンドルを取り付けたものであり、請求項３の発明は、軸にOリングを装着し、軸と隔壁に形成された軸走通孔との間を気密に保持したものである。
【発明の効果】
【００１１】
この発明によれば、ボディーの一側を吸引セクション、他側を吐出セクションとして吸引側の流路と吐出側の流路とを完全に分離したので、雑菌が混入するおそれのある吸引側の空気が吐出側に混入するおそれがない。特に請求項３の発明においては、吸引側と吐出側を軸が連通するものの、２枚の切替板をつなぐ軸にOリングを装着したので、軸の挿通孔を通過して吸引側の空気が吐出側の空気と混入するおそれはない。
この発明によれば、吸引側、吐出側それぞれの流路切替は切替板の回転によって行われる。そして双方の切替板は連動しているので２枚の切替板の操作は一度の操作で行うことができる。その結果、吸引と吐出の切替は切替板の回転操作のみで行うことが可能となる。
しかも、この発明の主要な構成部材は所定の流路を備えたボディーと、それに組み込まれる切替板のみであり、構造はきわめて簡易である。
【発明を実施するための最良の形態】
【００１２】
図１はこの発明のバルブが組み込まれる装置の使用状態を示す回路図である。
この発明のバルブＡは一点鎖線で囲われた部分であり、この発明のバルブが組み込まれる医療用の吸引・吐出装置Ｂが点線で囲まれた部分である。そして、符号Ｃは吸引ボトル、Ｄは吸引物、Ｅはネブライザーである。
吸引時には、モーター５０が駆動し、吸引ポンプ５１，吐出ポンプ５２が共に稼働する。そして吸引に必要な空気の流れは矢示ａ１、ａ２の流れである。他方吐出に必要な空気の流れは矢示ｂ１、ｂ２の流れである、
そこで、バルブＡにおいては、吸引時には矢示ｂ１、ｂ２の流れを遮断し、吐出時には矢示ａ１、ａ２の流れを遮断する必要がある。それに加えて、吸引時において吐出ポンプ５２から発生する吐出流ａ３を逃がさなければならず、吐出時においては吸引ポンプ５１から発生する吸引流ｂ３を確保しなければならない。
すなわち、バルブにおいて、吸引時には矢示ａ１、ａ２、ａ３の気流を確保し、吐出時には矢示ｂ１，ｂ２，ｂ３の気流を確保するように流路を形成する必要がある。
【００１３】
ボディーの一側に形成した吸引セクションにおいて、吸引運転時にはポンプにつながる第一の吸引路（矢示ａ１）と、吸引口につながる第二の吸引路（矢示ａ２）とを吸引側切替室３に開口させ、開口端に切替板の透孔を位置させ、前記吸引側切替室３を介して二つの吸引路が連通し、吐出運転時には第一の吸引路ａ１と無効吸引路（矢示ａ３）の開口端に切替板の透孔が位置して、前記吸引側切替室３を介して二つの吸引路が連通するようにする。
他方、前記吸引セクションとは分離された吐出セクションにおいては、吐出運転時にはポンプにつながる第一の吐出路（矢示ｂ１）と、吐出口につながる第二の吐出路（矢示ｂ２）とを吐出側切替室３ａに開口させ、開口端に切替板の透孔を位置させ、前記吐出側切替室３ａを介して二つの吐出路が連通し、吸引運転時には第一の吐出路ｂ１と無効吐出路ｂ３の開口端に切替板の透孔が位置して、前記吐出側切替室３ａを介して二つの吐出路が連通するようにする。
前記２枚の切替板の回転を連動させることで、１操作で吸入時、吐出時共に最適な流路が得られることとなる。
以下この発明の実施例を説明する。
【実施例】
【００１４】
ボディー１は円柱状であって、両側端部は空隙が形成されキャップ２が取り付けてある。前記ボディー１は、一側を吸引セクション、他側を吐出セクションとしてあり、空隙部が切替室３．３ａである。
前記吸引セクションは、前記円柱状体の充実部１ａ中に、吸引ポンプ５１と吸引側切替室３とを結ぶ第一吸引路４ａ、吸引口５と吸引側切替室３とを結ぶ第二吸引路４ｂと、吸入時に対応する無効吸引路６とを備え、前記第一吸引路４ａと第二吸引路４ｂとで吸引路４を構成する。
前記第一、第二の吸引路４ａ、４ｂと無効吸引路６は充実部１ａの端面に開口し、開口は時計回りに無効吸引路６，第一吸引路４ａ、第二吸引路４ｂの順に９０度間隔で配置してある。
【００１５】
前記吐出セクションは、前記円柱状体の充実部１ａ中にに、吐出ポンプ５２と吐出側切替室３ａとを結ぶ第一吐出路７ａ、吐出口８と吐出側切替室３ａとを結ぶ第二吐出路７ｂと、吸入時に対応する無効吸引路９とを備え、前記第一吐出路７ａと第二吐出路７ｂとで吸引路７を構成する。
前記第一、第二の吐出路７ａ、７ｂと無効吐出路９は充実部１ａの端面に開口し、開口は時計回りに無効吐出路９，第一吐出路７ａ、第二吐出路７ｂの順に９０度間隔で配置してある。
【００１６】
前記ボディー１の充実部１ａの外面に接して切替板１０，１０ａが回転可能に配設してあり、切替板１０、１０ａにはそれぞれ２つの透孔１１，１２が設けてある。
この透孔は、前記吸引セクションにおいては、吸引運転時には前記第一、第二の吸引路４ａ、４ｂの開口端に切替板１０の透孔１１，１２が位置して、前記吸引側切替室３を介して二つの吸引路が連通し、吐出運転時には第一の吸引路４ａと無効吸引路６の開口端に切替板１０の透孔１１，１２が位置して、前記吸引側切替室を介して二つの吸引路が連通するようにしてある。
前記吐出セクションにおいては、吐出運転時には前記第一、第二の吐出路７ａ、７ｂの開口端に切替板１０ａの透孔１１，１２が位置して、前記吐出側切替室３ａを介して二つの吐出路が連通し、吸引運転時には第一の吐出路７ａと無効吐出路９の開口端に切替板１０ａの透孔１１，１２が位置して、前記吐出側切替室３ａを介して二つの吐出路が連通するようにする。
【００１７】
そして、前記２枚の切替板１０、１０ａを軸１３で連結し、軸１３と充実部１ａに形成した軸を挿通するための透孔との間を気密にするためのOリング１４をはめ込んである。
前記軸には操作用のハンドル１５が取り付けてあり、ハンドルの近傍には作動の切替が明らかになる表示がしてある。
【００１８】
この実施例によれば、ハンドルを吸引側に合わせると切替板は図５、６に示す状態となる。したがって、切替板１０の透孔１１，１２が吸引路４ａと吸引路４ｂの開放端に合わせた位置にあるので、吸引路４ａと吸引路４ｂとは切替室３を介して連通し、吸引ポンプからの吸気は吸引路４ａ,吸引路４ｂを経て吸引口５に至り、吸引ボトルＣに負圧を与えることができる。
また、このとき吐出セクションでは吐出口８につながる回路は閉鎖されているので、吐出作用は行われない。他方、吐出ポンプ５２で発生する正圧は、吐出セクションの切替板１０ａが吐出ポンプからの流路７ａと無効吐出路９のみにその透孔を合わせているので、前記正圧は切替室３ａを経て無効吐出路９を経て放出される。
【００１９】
吐出操作時は、ハンドルを吐出に合わせると切替板は図７，８に示す状態となる。したがって、切替板１０ａの透孔１１，１２が吐出路７ａと吐出路７ｂの開放端に合わせた位置にあるので、吐出路７ａと吐出路７ｂとは切替室３ａを介して連通し、吐出ポンプからの吐出気体は第一吐出路７ａ、第二吐出路７ｂを経て吐出口８に至り、ネブライザーに供給される。
また、このとき吸引セクションでは吸引口につながる回路は閉鎖されているので、吸引作用は行われない。他方、吸引ポンプ５１で発生する負圧は、吸引セクションの切替板が吸引ポンプからの第一吸引路４ａと無効吸引路６のみにその透孔を合わせているので、前記負圧は切替室３を経て無効吸引路を経て放出される。
【産業上の利用可能性】
【００２０】
この発明によれば、吸引セクションと吐出セクションに配設した２枚の切替板を連動させてあるので、一操作で吸引と吐出とを切り替えることができる。そして、吸引用の流路と吐出用の流路は完全に分離されているので、衛生上の問題も解消される。
したがって、簡易な構造の吸引・吐出兼用機に組み込む切替バルブとして産業上有効なものである。
【図面の簡単な説明】
【００２１】
【図１】この発明の概要を示す作動原理図
【図２】実施例のキャップをはずした状態の斜視図
【図３】実施例の縦断面図
【図４】実施例の横断面図
【図５】吸引時における吸引セクションの状態を示す説明図
【図６】吸引時における吐出セクションの状態を示す説明図
【図７】吐出時における吸引セクションの状態を示す説明図
【図８】吐出時における吐出セクションの状態を示す説明図
【符号の説明】
【００２２】
１               ボディ−
２               キャップ
３、３ａ         切替室
４               吸引路
５               吸引口
６               無効吸引路
７               吐出路
８               吐出口
９               無効吐出路
１０、１０ａ     切替板
１１，１２       透孔
１３             軸
１４             Ｏリング
【図１】
2012085956.tif 000003
【図２】
2012085956.tif 000004
【図３】
2012085956.tif 000005
【図４】
2012085956.tif 000006
【図５】
2012085956.tif 000007
【図６】
2012085956.tif 000008
【図７】
2012085956.tif 000009
【図８】
2012085956.tif 000010